(57)【要約】【課題】複数の光源、およびこれら光源に係る光軸の基準位置を調整する機構を備える単一灯具ユニットの占有スペースを削減する。【解決手段】投影レンズ部１６は、第１投影レンズ１６ｂと第２投影レンズ１６ｃを含む。第１投影レンズ１６ｂは、第１光源から出射された光の少なくとも一部が通過する。第２投影レンズ１６ｃは、第２光源から出射された光の少なくとも一部が通過する。第１調整機構１８は、投影レンズ部１６を、第１光源および第２光源に対して左右方向に平行移動させる。第２調整機構１９は、投影レンズ部１６を、第１光源および第２光源に対して左右方向と直交する上下方向に平行移動させる。第１投影レンズ１６ｂが有する第１光軸Ａ１および第２投影レンズ１６ｃが有する第２光軸Ａ２の少なくとも一方は、左右方向および上下方向と直交する前後方向に延びている。【選択図】図４
2015085758.tif 000002
【特許請求の範囲】
【請求項１】
車両に搭載される灯具ユニットであって、
第１光源と、
第２光源と、
前記第１光源から出射された光の少なくとも一部が通過する第１レンズ部、および前記第２光源から出射された光の少なくとも一部が通過する第２レンズ部を含む投影レンズ部と、
前記投影レンズ部を、前記第１光源および前記第２光源に対して第１方向に平行移動させる第１調整機構と、
前記投影レンズ部を、前記第１光源および前記第２光源に対して前記第１方向と直交する第２方向に平行移動させる第２調整機構とを備え、
前記第１レンズ部が有する第１光軸および前記第２レンズ部が有する第２光軸の少なくとも一方は、前記第１方向および前記第２方向と直交する第３方向に延びている、灯具ユニット。
【請求項２】
前記第１調整機構は、
前記第１方向に延びる第１軸を有する第１軸部材、および
前記第１軸部材を保持する第１軸受部材を含み、
前記第２調整機構は、
前記第２方向に延びる第２軸を有する第２軸部材、および
前記第２軸部材を保持する第２軸受部材を含み、
前記第１軸と前記第２軸は、前記第３方向から見て前記第１レンズ部と前記第２レンズ部の間で交差している、請求項１に記載の灯具ユニット。
【請求項３】
前記第２軸部材と結合された駆動軸を有するアクチュエータを備え、
前記第２方向は車両の上下方向に対応する、請求項２に記載の灯具ユニット。
【請求項４】
前記第１レンズ部は、第１投影レンズを含み、前記第２レンズ部は、前記第１投影レンズと独立した第２投影レンズを含む、請求項１から３のいずれか一項に記載の灯具ユニット。
【発明の詳細な説明】
【技術分野】
【０００１】
本発明は、車両に搭載される灯具ユニットに関する。
【背景技術】
【０００２】
灯室を区画するハウジングに投影レンズを備える灯具ユニットが取り付けられる際には、投影レンズの光軸の基準位置について、所望の仕様に対する誤差が生ずる場合がある。この誤差を解消するために、エイミング機構を備えた灯具ユニットが知られている。
【０００３】
エイミング機構は、ハウジングの外部に露出した２本のスクリューを備えている。一方のスクリューを回転させることにより、灯具ユニットの上下方向に係る光軸の基準位置が調整される。他方のスクリューを回転させることにより、灯具ユニットの左右方向に係る光軸の基準位置が調整される（例えば、特許文献１を参照）。
【先行技術文献】
【特許文献】
【０００４】
【特許文献１】特開２０１２−１６４４２８号公報
【発明の概要】
【発明が解決しようとする課題】
【０００５】
単一の灯具ユニットに複数の光源を装備したいというニーズが存在する。当該複数の光源から出射された光は、それぞれ異なる投影レンズ、あるいは単一の投影レンズにおける異なる領域を通過し、灯具ユニットの前方に所定の配光パターンを形成する。この場合、複数の投影レンズが所定の方向に並べられた構成、あるいは複数の光通過領域を形成すべく投影レンズが所定の方向に延長された構成が必要となり、当該所定の方向について構造の大型化が避けられない。
【０００６】
エイミング機構を設けるにあたっては、光軸の基準位置調整に伴い投影レンズが変位可能な空間を確保する必要がある。上記のように投影レンズ周辺の構造が大型化する場合、確保すべき空間も大きくなるため、灯具ユニットの占有スペースが増大する。
【０００７】
よって本発明は、複数の光源、およびこれら光源に係る光軸の基準位置を調整する機構を備える単一灯具ユニットの占有スペースを削減する技術を提供することを目的とする。
【課題を解決するための手段】
【０００８】
上記の目的を達成するために、本発明がとりうる一態様は、車両に搭載される灯具ユニットであって、
第１光源と、
第２光源と、
前記第１光源から出射された光の少なくとも一部が通過する第１レンズ部、および前記第２光源から出射された光の少なくとも一部が通過する第２レンズ部を含む投影レンズ部と、
前記投影レンズ部を、前記第１光源および前記第２光源に対して第１方向に平行移動させる第１調整機構と、
前記投影レンズ部を、前記第１光源および前記第２光源に対して前記第１方向と直交する第２方向に平行移動させる第２調整機構とを備え、
前記第１レンズ部が有する第１光軸および前記第２レンズ部が有する第２光軸の少なくとも一方は、前記第１方向および前記第２方向と直交する第３方向に延びている。
【０００９】
このような構成によれば、投影レンズ部が備える複数の光軸の基準位置を一括して調整するに際し、投影レンズ部は灯具ユニットの第３方向への変位を伴わない。第３方向の変位を許容するためのスペースを確保する必要がないため、灯具ユニットが配置される照明装置の灯室における占有スペースを抑制し、灯室内の空間を有効活用できる。構造が大型化する傾向にある複数の光軸を有する投影レンズ部を変位させる場合において、当該効果はより顕著となる。
【００１０】
また投影レンズ部が平行移動するため、第１光軸と第２光軸の基準位置を調整するに際し、第１レンズ部の焦点面と第１光源との相対位置、および第２レンズ部の焦点面と第２光源との相対位置が変化しない。したがって、第１光源と第２光源より出射された光の結像（すなわち配光パターンの形成）を安定させることができる。
【００１１】
前記第１調整機構は、
前記第１方向に延びる第１軸を有する第１軸部材、および
前記第１軸部材を保持する第１軸受部材を含み、
前記第２調整機構は、
前記第２方向に延びる第２軸を有する第２軸部材、および
前記第２軸部材を保持する第２軸受部材を含み、
前記第１軸と前記第２軸は、前記第３方向から見て前記第１レンズ部と前記第２レンズ部の間で交差している構成としてもよい。
【００１２】
このような構成によれば、左右方向への変位軸と上下方向への変位軸を、投影レンズ部の重心に近い位置で交差させることが可能となる。したがって、構造が大型化および重量化する傾向にある複数の光軸を有する投影レンズ部を、安定的に変位させることが可能である。
【００１３】
前記第２軸部材と結合された駆動軸を有するアクチュエータを備え、前記第２方向は車両の上下方向に対応する構成としてもよい。
【００１４】
このような構成によれば、乗車人数や荷物の積み込みによる車高の変化に応じて、第１光軸と第２光軸の基準位置を車両の上下方向に移動させる制御が可能となる。すなわち、投影レンズ部を第２方向に平行移動させる機構を、いわゆるレベリング制御にも用いることができる。
【００１５】
前記第１レンズ部は、第１投影レンズを含み、前記第２レンズ部は、前記第１投影レンズと独立した第２投影レンズを含む構成としてもよい。
【００１６】
このような構成によれば、レンズ部品の標準化が容易であり、部品コストや製造コストを抑制できる。
【図面の簡単な説明】
【００１７】
【図１】本発明の一実施形態に係る灯具ユニットを備える照明装置を、一部断面視で示す右側面図である。
【図２】図１の灯具ユニットを前上方から見た分解斜視図である。
【図３】図１の灯具ユニットを前下方から見た斜視図である。
【図４】図１の灯具ユニットの一部を後上方から見た斜視図である。
【図５】図１の灯具ユニットが備える投影レンズ部を左右方向に平行移動させる動作を説明する平面図である。
【図６】図１の灯具ユニットが備える第２調整機構を示す分解斜視図である。
【図７】図１の灯具ユニットが備える投影レンズ部を上下方向に平行移動させる動作を説明する正面図である。
【図８】図６に示すアクチュエータの動作を説明する正面図である。
【図９】投影レンズ部の変形例を示す正面図である。
【発明を実施するための形態】
【００１８】
添付の図面を参照しつつ、本発明の実施形態例について以下詳細に説明する。なお以下の説明に用いる各図面では、各部材を認識可能な大きさとするために縮尺を適宜変更している。また以降の説明に用いる「右」および「左」は、運転席から見た左右の方向を示している。
【００１９】
図１は、前照灯装置１の一部を、垂直面で切断して右側方から見た状態を示す図である。前照灯装置１は、車両の前部に搭載され、前方を照明するための装置である。前照灯装置１は、ハウジング２と、当該ハウジング２に装着されて灯室３を区画形成する透光カバー４とを備えている。灯室３内には、本発明の一実施形態に係る灯具ユニット１０が配置されている。
【００２０】
灯具ユニット１０は、ヒートシンク１１、第１光源ユニット１２、第２光源ユニット１３、第１リフレクタ１４、第２リフレクタ１５、投影レンズ部１６、およびジョイント部１７を備えている。
【００２１】
図２は、投影レンズ部１６をジョイント部１７から分離した状態の灯具ユニット１０を上前方から見た斜視図である。
【００２２】
ヒートシンク１１は、光源支持板１１ａと複数の放熱板１１ｂを備えている。光源支持板１１ａは、灯具ユニット１０の左右方向に延びている。光源支持板１１ａは、灯具ユニット１０の左右方向中央部よりも右方に第１支持部１１ａ１を含んでいる。光源支持板１１ａは、灯具ユニット１０の左右方向中央部よりも左方に第２支持部１１ａ２を含んでいる。複数の放熱板１１ｂは、光源支持板１１ａより下方に延びている。
【００２３】
第１光源ユニット１２は、第１光源２１と第１アタッチメント２２を備えている。第１光源２１は、例えば白色発光ダイオード（ＬＥＤ）である。第１アタッチメント２２は、第１光源２１を第１支持部１１ａ１上に固定する。第１アタッチメント２２は、図示しないコネクタを備えている。第１光源２１は、当該コネクタを介して供給される電力により点灯する。
【００２４】
第２光源ユニット１３は、第２光源３１と第２アタッチメント３２を備えている。第２光源３１は、例えば白色発光ダイオード（ＬＥＤ）である。第２アタッチメント３２は、第２光源３１を第２支持部１１ａ２上に固定する。第２アタッチメント３２は、図示しないコネクタを備えている。第２光源３１は、当該コネクタを介して供給される電力により点灯する。
【００２５】
第１リフレクタ１４はドーム形状を呈している。第１リフレクタ１４の内面１４ａは反射面とされている。第１リフレクタ１４は、当該反射面の一部が第１光源２１と対向するように配置されている。
【００２６】
第２リフレクタ１５はドーム形状を呈している。第２リフレクタ１５の内面１５ａは反射面とされている。第２リフレクタ１５は、当該反射面の一部が第２光源３１と対向するように配置されている。
【００２７】
投影レンズ部１６は、レンズホルダ１６ａ、第１投影レンズ１６ｂ、および第２投影レンズ１６ｃを備えている。レンズホルダ１６ａは、第１レンズ保持枠１６ａ１、第２レンズ保持枠１６ａ２、上接続軸１６ａ３、下接続軸１６ａ４、および中間接続軸１６ａ５を備えている。
【００２８】
第１投影レンズ１６ｂ（第１レンズ部の一例）は、第１光軸Ａ１を有する。第１投影レンズ１６ｂは、第１レンズ保持枠１６ａ１の前面に固定される。第２投影レンズ１６ｃ（第２レンズ部の一例）は、第２光軸Ａ２を有する。第２投影レンズ１６ｃは、第２レンズ保持枠１６ａ２の前面に固定される。
【００２９】
上接続軸１６ａ３（第１軸部材の一例）は、灯具ユニット１０の左右方向（第１方向の一例）に延びる軸Ｂ１（第１軸の一例）を有し、第１レンズ保持枠１６ａ１の上部と第２レンズ保持枠１６ａ２の上部を接続している。下接続軸１６ａ４（第１軸部材の一例）は、灯具ユニット１０の左右方向（第１方向の一例）に延びる軸Ｂ２（第１軸の一例）を有し、第１レンズ保持枠１６ａ１の下部と第２レンズ保持枠１６ａ２の下部とを接続している。
【００３０】
中間接続軸１６ａ５は、第１レンズ保持枠１６ａ１と第２レンズ保持枠１６ａ２の間において灯具ユニット１０の左右方向に直交する上下方向（第２方向の一例）に延び、上接続軸１６ａ３と下接続軸１６ａ４を接続している。
【００３１】
ジョイント部１７は、ヒートシンク１１と投影レンズ部１６の間に配置されている。ジョイント部１７は、環状フレーム１７ａ、右上軸受１７ｂ、左上軸受１７ｃ、右下軸受１７ｄ、および左下軸受１７ｅを備えている。
【００３２】
右上軸受１７ｂは、環状フレーム１７ａの上部右寄りに配置されており、前方に開口する一対の保持片を備えている。左上軸受１７ｃは、環状フレーム１７ａの上部左寄りに配置されており、前方に開口する一対の保持片を備えている。投影レンズ部１６は、ジョイント部１７と結合される。このとき、レンズホルダ１６ａの上接続軸１６ａ３の右端部が右上軸受１７ｂ（第１軸受部材の一例）に保持され、上接続軸１６ａ３の左端部が左上軸受１７ｃ（第１軸受部材の一例）に保持される。上接続軸１６ａ３の右端部と左端部は、それぞれ右上軸受１７ｂと左上軸受１７ｃ内を上接続軸１６ａ３の延びる方向（すなわち灯具ユニット１０の左右方向）に摺動可能に保持されている。
【００３３】
図３は、灯具ユニット１０を下前方から見た斜視図である。投影レンズ部１６がジョイント部１７と結合されると、レンズホルダ１６ａの下接続軸１６ａ４の右端部が右下軸受１７ｄ（第１軸受部材の一例）に保持され、下接続軸１６ａ４の左端部が左下軸受１７ｅ（第１軸受部材の一例）に保持される。下接続軸１６ａ４の右端部と左端部は、それぞれ右下軸受１７ｄと左下軸受１７ｅ内を下接続軸１６ａ４の延びる方向（すなわち灯具ユニット１０の左右方向）に摺動可能に保持されている。
【００３４】
この状態において、第１投影レンズ１６ｂは、第１光源２１から出射された光の少なくとも一部が通過するように配置されている。第２投影レンズ１６ｃは、第２光源３１から出射された光の少なくとも一部が通過するように配置されている。
【００３５】
図４は、灯具ユニット１０の一部（ヒートシンク１１、第１光源ユニット１２、第２光源ユニット１３、第１リフレクタ１４、および第２リフレクタ１５を除いた状態）を上後方から見た斜視図である。灯具ユニット１０は、第１調整機構１８をさらに備えている。
【００３６】
第１調整機構１８は、第１スクリュー８１、ジョイント８２、リンク８３、および支点部材８４を備えている。第１調整機構１８は、投影レンズ部１６を、第１光源２１および第２光源３１に対して灯具ユニット１０の左右方向に平行移動させる機構である。
【００３７】
第１スクリュー８１は、ヘッド部８１ａと軸部８１ｂを備えている。図１に示すように、軸部８１ｂは、ハウジング２の背壁２ａを貫通して延びている。ヘッド部８１ａは、背壁２ａの外方に配置され、所定の冶具により回転操作可能とされている。軸部８１ｂの外周面にはネジ溝が形成されている。
【００３８】
図４に示すように、ジョイント８２は、対向する面にそれぞれネジ溝が形成された一対の保持片からなる。当該一対の保持片で第１スクリュー８１の軸部８１ｂを保持することにより、保持片のネジ溝と軸部８１ｂのネジ溝が螺合している。
【００３９】
リンク８３の第１端部８３ａは、ジョイント８２と連結されている。リンク８３の第２端部８３ｂは、支点部材８４と連結されている。図１に示すように、支点部材８４の後端部は、ハウジング２の背壁２ａに固定されている。
【００４０】
図４に示すように、リンク８３は、第２端部８３ｂに隣接する箇所から前方に延びる腕部８３ｃを有している。腕部８３ｃの先端には、嵌合溝８３ｄが形成されている。レンズホルダ１６ａの中間接続軸１６ａ５は、嵌合溝８３ｄに保持されている。中間接続軸１６ａ５は、嵌合溝８３ｄ内を中間接続軸１６ａ５の延びる方向（すなわち灯具ユニット１０の上下方向）に摺動可能とされている。
【００４１】
図５は、第１スクリュー８１の回転に伴う、灯具ユニット１０の各部の動きを説明する上面図である。図５の（ａ）は、初期状態を示している。
【００４２】
この状態から第１スクリュー８１が左に回転されると、ジョイント８２を介してリンク８３の第１端部８３ａが前方に押される。これに伴い、支点部材８４を中心として回動するリンク８３の腕部８３ｃを介して、レンズホルダ１６ａの中間接続軸１６ａ５が右方に押される。このときレンズホルダ１６ａの上接続軸１６ａ３と下接続軸１６ａ４が、それぞれジョイント部１７の右上軸受１７ｂ、左上軸受１７ｃ、右下軸受１７ｄ、および左下軸受１７ｅ内を右方に摺動する。したがって、図５の（ｂ）に示すように、投影レンズ部１６が右方に平行移動する。これにより、第１投影レンズ１６ｂの第１光軸Ａ１と第２投影レンズ１６ｃの第２光軸Ａ２が、一括して右方に平行移動される。
【００４３】
一方、第１スクリュー８１が右に回転されると、ジョイント８２を介してリンク８３の第１端部８３ａが後方に引かれる。これに伴い、支点部材８４を中心として回動するリンク８３の腕部８３ｃを介して、レンズホルダ１６ａの中間接続軸１６ａ５が左方に押される。このときレンズホルダ１６ａの上接続軸１６ａ３と下接続軸１６ａ４が、それぞれジョイント部１７の右上軸受１７ｂ、左上軸受１７ｃ、右下軸受１７ｄ、および左下軸受１７ｅ内を左方に摺動する。したがって、図５の（ｃ）に示すように、投影レンズ部１６が左方に平行移動する。これにより、第１投影レンズ１６ｂの第１光軸Ａ１と第２投影レンズ１６ｃの第２光軸Ａ２が、一括して左方に平行移動される。
【００４４】
すなわち、第１スクリュー８１のヘッド部８１ａが操作されることにより、第１投影レンズ１６ｂの第１光軸Ａ１と第２投影レンズ１６ｃの第２光軸Ａ２の、灯具ユニット１０の左右方向における基準位置が調整される。レンズホルダ１６ａの上接続軸１６ａ３と下接続軸１６ａ４、ジョイント部１７の右上軸受１７ｂ、左上軸受１７ｃ、右下軸受１７ｄ、および左下軸受１７ｅもまた第１調整機構１８の一部を構成している。
【００４５】
図４に示すように、灯具ユニット１０は、第２調整機構１９をさらに備えている。図６は、第２調整機構１９の構成を示す分解斜視図である。第２調整機構１９は、投影レンズ部１６を、第１光源２１および第２光源３１に対して灯具ユニット１０の上下方向に平行移動させる機構である。第２調整機構１９は、第２スクリュー９１、スライダ９２、環状ギア９３、および支持フレーム９４を備えている。
【００４６】
第２スクリュー９１は、ヘッド部９１ａ、軸部９１ｂ、およびギア９１ｃを備えている。図１に示すように、軸部９１ｂは、ハウジング２の背壁２ａを貫通して延びている。ヘッド部９１ａは、背壁２ａの外方に配置され、所定の冶具により回転操作可能とされている。ギア９１ｃは軸部９１ｂの先端に装着されている。
【００４７】
スライダ９２は、中空円筒状の枠体である。スライダ９２の下部における外周面にはネジ溝９２ａが形成されている。一方、環状ギア９３の内周面にも図示しないネジ溝が形成されている。環状ギア９３は、そのネジ溝がネジ溝９２ａと螺合するように、スライダ９２と結合されている。
【００４８】
支持フレーム９４は、中空円筒状の枠体であり、側壁の一部に開口部９４ａが形成されている。結合されたスライダ９２と環状ギア９３は、支持フレーム９４の内部に配置されている。第１スクリュー９１は開口部９４ａを挿通して延びており、ギア９１ｃが環状ギア９３と噛合されている。環状ギア９３は、軸Ｃを中心として回転可能となるように支持フレーム９４に支持されている。スライダ９２は、軸Ｃに沿って摺動可能となるように支持フレーム９４に支持されている。軸Ｃは灯具ユニット１０の上下方向に延びている。すなわちこの状態において、スライダ９２（第２軸部材の一例）は、灯具ユニット１０の上下方向に延びる軸Ｃ（第２軸の一例）を有し、支持フレーム９４（第２軸受部材の一例）に保持されている。
【００４９】
スライダ９２の上端部には一対のスリット９２ｂが形成されている。支持フレーム９４の上端部には、当該スリット９２ｂと対向するように、一対のスリット９４ｂが形成されている。一方、ジョイント部１７の環状フレーム１７ａの下部には、結合軸１７ｆと一対の結合片１７ｇが形成されている。結合軸１７ｆは、一対の結合片１７ｇの間に配置されて下方に延びている。円筒状の結合軸１７ｆの外径は、円筒状のスライダ９２の内径と略等しい。結合軸１７ｆをスライダ９４に嵌入し、一対の結合片１７ｇをスリット９２ｂ、９４ｂに嵌入することにより、ジョイント部１７は、スライダ９２および支持フレーム９４に対して結合される。
【００５０】
図７は、第２スクリュー９１の回転に伴う、灯具ユニット１０の各部の動きを説明する正面図である。図７の（ａ）は初期状態を示している。
【００５１】
この状態から第２スクリュー９１を右回転させると、ギア９２ｃを介して環状ギア９３が軸Ｃを中心として右回転される。この回転に伴い、環状ギア９３のネジ溝と螺合しているネジ溝９２ａを有するスライダ９４が、軸Ｃに沿って上方に摺動する。スライダ９２が上方に摺動すると、結合軸１７ｆを介してスライダ９２に結合された環状フレーム１７ａが上方に変位する（図４参照）。
【００５２】
したがって、図７の（ｂ）に示すように、環状フレーム１７ａに設けられた右上軸受１７ｂ、左上軸受１７ｃ、右下軸受１７ｄ、および左下軸受１７ｅを介して支持されている投影レンズ部１６が上方に平行移動する。このときレンズホルダ１６ａの中間接続軸１６ｅは、リンク８３の嵌合溝８３ｄ内で上方に摺動する（図４参照）。これにより、第１投影レンズ１６ｂの第１光軸Ａ１と第２投影レンズ１６ｃの第２光軸Ａ２が、一括して上方に平行移動される。
【００５３】
一方、第２スクリュー９１を左回転させると、ギア９２ｃを介して環状ギア９３が軸Ｃを中心として左回転される。この回転に伴い、環状ギア９３のネジ溝と螺合しているネジ溝９２ａを有するスライダ９４が、軸Ｃに沿って下方に摺動する。スライダ９２が下方に摺動すると、結合軸１７ｆを介してスライダ９２に結合された環状フレーム１７ａが下方に変位する（図４参照）。
【００５４】
したがって、図７の（ｃ）に示すように、環状フレーム１７ａに設けられた右上軸受１７ｂ、左上軸受１７ｃ、右下軸受１７ｄ、および左下軸受１７ｅを介して支持されている投影レンズ部１６が下方に平行移動する。このときレンズホルダ１６ａの中間接続軸１６ｅは、リンク８３の嵌合溝８３ｄ内で下方に摺動する（図４参照）。これにより、第１投影レンズ１６ｂの第１光軸Ａ１と第２投影レンズ１６ｃの第２光軸Ａ２が、一括して下方に平行移動される。
【００５５】
すなわち、第２スクリュー９１のヘッド部９１ａが操作されることにより、第１投影レンズ１６ｂの第１光軸Ａ１と第２投影レンズ１６ｃの第２光軸Ａ２の、灯具ユニット１０の上下方向における基準位置が調整される。ジョイント部１７の右上軸受１７ｂ、左上軸受１７ｃ、右下軸受１７ｄ、および左下軸受１７ｅもまた第２調整機構１９の一部を構成している。
【００５６】
図４に示すように、第１投影レンズ１６ｂの第１光軸Ａ１と第２投影レンズ１６ｃの第２光軸Ａ２は、灯具ユニット１０の前後方向（第３方向の一例）に延びている。すなわち、第１光軸Ａ１と第２光軸Ａ２の延びる向きは、第１調整機構１８により投影レンズ部１６が平行移動する向き（灯具ユニット１０の左右方向）および第２調整機構１９により投影レンズ部１６が平行移動する向き（灯具ユニット１０の上下方向）に直交している。
【００５７】
以上説明した構成によれば、投影レンズ部１６が備える複数の光軸の基準位置を一括して調整するに際し、投影レンズ部１６は灯具ユニット１０の前後方向（光軸Ａ１、Ａ２の延びる向き）の変位を伴わない。前後方向の変位を許容するためのスペースを確保する必要がないため、灯具ユニット１０が配置される前照灯装置１の灯室３における占有スペースを抑制し、灯室３内の空間を有効活用できる。構造が大型化する傾向にある複数の光軸を有する投影レンズ部１６を変位させる場合において、当該効果はより顕著となる。
【００５８】
また投影レンズ部１６が平行移動するため、第１光軸Ａ１と第２光軸Ａ２の基準位置を調整するに際し、第１投影レンズ１６ｂの焦点面と第１光源２１との相対位置、および第２投影レンズ１６ｃの焦点面と第２光源３１との相対位置が変化しない。したがって、第１光源２１と第２光源３１より出射された光の結像（すなわち配光パターンの形成）を安定させることができる。
【００５９】
図７の（ａ）に示すように、レンズホルダ１６ａの上接続軸１６ａ３が有する軸Ｂ１と下接続軸１６ａ４が有する軸Ｂ２は、灯具ユニット１０の前後方向から見て、第１投影レンズ１６ｂと第２投影レンズ１６ｃの間でスライダ９２が有する軸Ｃと交差している。
【００６０】
このような構成によれば、左右方向への変位軸と上下方向への変位軸を、投影レンズ部１６の重心に近い位置で交差させることが可能となる。したがって、構造が大型化および重量化する傾向にある複数の光軸を有する投影レンズ部１６を、安定的に変位させることができる。
【００６１】
図６に示すように、第２調整機構１９は、アクチュエータ９５をさらに備えている。アクチュエータ９５は、ケース９５ａと駆動軸９５ｂを備えている。アクチュエータ９５は、支持フレーム９４と結合されている（図４参照）。この状態においては、図６に示すように、アクチュエータ９５の駆動軸９５ｂは、スライダ９２の内部に配置され、連結部材９６に結合される。連結部材９６は、ジョイント部１７の結合軸１７ｆの下端部に固定される。これにより、駆動軸９５ｂと結合軸１７ｆは相対変位不能とされる。すなわち、駆動軸９５ｂは、結合軸１７ｆを介してスライダ９２と結合される。
【００６２】
図３に示すように、ヒートシンク１１の支持板１１ａよりも下方には、機構支持部１１ｃが形成されている。アクチュエータ９５が装着された支持フレーム９４は、図示しない締結部材により、機構支持部１１ｃに固定される。
【００６３】
アクチュエータ９５のケース９５ａ内に設けられた駆動回路は、灯具ユニット１０の外部に設けられた図示しない制御部から制御信号を受信する。駆動軸９５ｂは、当該制御信号に応じ、ケース９５ａに対して軸Ｃに沿って進退可能とされている。駆動軸９５ｂの進退に伴い、駆動軸９５ｂに連結されたジョイント部１７の結合軸１７ｆがスライダ９２内を軸Ｃに沿って摺動する。
【００６４】
図８の（ａ）は、第２スクリュー９１の操作により、投影レンズ部１６が幾分下方に移動された状態を示している（図７の（ｃ）と同じ状態）。図８の（ｂ）は、図８の（ａ）に示す状態からアクチュエータ９５を動作させて駆動軸９５ｂをケース９５ａへ引き込み、投影レンズ部１６をさらに下方へ移動させた状態を示している。
【００６５】
すなわち、第１スクリュー８１と第２スクリュー９１の操作により調節された投影レンズ部１６の位置を基準として、さらにアクチュエータ９５の駆動軸９５ｂを進退させることにより、第１光軸Ａ１と第２光軸Ａ２の基準位置を一括して灯具ユニット１０の上下方向に変位させることができる。
【００６６】
このような構成によれば、乗車人数や荷物の積み込みによる車高の変化に応じて、第１光軸Ａ１と第２光軸Ａ２の基準位置を車両の上下方向に移動させる制御が可能となる。すなわち、投影レンズ部１６を灯具ユニット１０の上下方向に平行移動させる機構を、いわゆるレベリング制御にも用いることができる。
【００６７】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００６８】
上記の実施形態においては、投影レンズ部１６における第１投影レンズ１６ｂと第２投影レンズ１６ｃは、独立した投影レンズとして構成されている。この場合、レンズ部品の標準化が容易であり、部品コストや製造コストを抑制できる。
【００６９】
一方、図９に示す変形例に係る灯具ユニット１０Ａのように、投影レンズ部１６Ａが単一の投影レンズ１６ｄを備える構成としてもよい。この場合、光源２１から出射された光の少なくとも一部は、投影レンズ１６ｄの第１領域１６ｄ１（第１レンズ部の一例）を通過し、光源３１から出射された光の少なくとも一部は、投影レンズ１６ｄの第２領域１６ｄ２（第２レンズ部の一例）を通過する。
【００７０】
上記の実施形態において、第１投影レンズ１６ｂが有する第１光軸Ａ１と第２投影レンズ１６ｂが有する第２光軸Ａ２は、ともに灯具ユニット１０の前後方向に平行に延びている。しかしながら、第１光軸Ａ１と第２光軸Ａ２の一方が当該方向に延びていれば、他方は当該方向に対し傾斜して延びていてもよい。
【００７１】
灯具ユニット１０が搭載される照明装置は、前照灯装置１に限られるものではない。投影レンズ部１６が有する第１光軸Ａ１と第２光軸Ａ２の基準位置調整を要する用途に用いられる限りにおいて、適宜の車両用照明装置に搭載されうる。
【符号の説明】
【００７２】
１０：灯具ユニット、１６：投影レンズ部、１６ａ３：上接続軸、１６ａ４：下接続軸、１６ｂ：第１レンズ部、１６ｃ：第２レンズ部、１７ｂ：右上軸受、１７ｃ：左上軸受、１７ｄ：右下軸受、１７ｅ：左下軸受、１８：第１調整機構、１９：第２調整機構、２１：第１光源、３１：第２光源、９２：スライダ、９４：支持フレーム、９５：アクチュエータ、９５ｂ：駆動軸、Ａ１：第１光軸、Ａ２：第２光軸、Ｂ１：上接続軸が有する軸、Ｂ２：下接続軸が有する軸、Ｃ：スライダが有する軸
【図１】
2015085758.tif 000003
【図２】
2015085758.tif 000004
【図３】
2015085758.tif 000005
【図４】
2015085758.tif 000006
【図５】
2015085758.tif 000007
【図６】
2015085758.tif 000008
【図７】
2015085758.tif 000009
【図８】
2015085758.tif 000010
【図９】
2015085758.tif 000011